(57)【要約】【課題】ペットに関する品物を収納できるため屋内の整理が容易に行え、吸着材によりペット臭が吸収され空気環境を保つことのできるペット用のクローゼットを提供する。【解決手段】ペットに関する品物を収納するペット用のクローゼットであって、内部に、ペット臭を吸着する吸着材を取外し可能に設けたことを特徴とする。また前記吸着材は、底板部の下部に設けられ、かつ底板部には通気部が形成される。また前記吸着材は、タイルからなり、底板部又は棚板の上面に固着されていることを特徴とする。また前記吸着材は、ハンガー吊下げ用のパイプ内部に設けられたことを特徴とする。そして前記吸着材は、珪藻土を含むことを特徴とする。【選択図】  図１
2005013419.tif 000002
【特許請求の範囲】
【請求項１】
ペットに関する品物を収納するペット用のクローゼットであって、
内部に、ペット臭を吸着する吸着材を取外し可能に設けたことを特徴とするペット用のクローゼット。
【請求項２】
前記吸着材は、底板部の下部に設けられ、
かつ底板部には通気部が形成されたことを特徴とする請求項１記載のペット用のクローゼット。
【請求項３】
前記吸着材は、タイルからなり、
前記タイルは、底板部又は棚板の上面に固着又は敷設されていることを特徴とする請求項１記載のペット用のクローゼット。
【請求項４】
前記吸着材は、ハンガー吊下げ用のパイプ内部に設けられたことを特徴とする請求項１記載のペット用のクローゼット。
【請求項５】
前記吸着材は、珪藻土を含むことを特徴とする請求項１〜５のいずれかに記載のペット用のクローゼット。
【発明の詳細な説明】
【０００１】
【発明の属する技術分野】
本発明は、犬、猫等のペットに関係して使用する品物を収納するペット用のクローゼットに関する。
【０００２】
【従来の技術】
犬、猫等のペットを飼育する場合、近年セータ、ベスト、レインコート等の衣類、外出時に使用する首輪及びリード、ボール、ロープ等の玩具、お出かけ時にペットを中に入れて運ぶためのバッグその他ペットに関する品物の種類が増加している。さらには同じ種類のものも色、デザインが異なる品物を取り揃え、また衣類等においては季節毎に準備する必要がある等ペットに関する品物は相当の量に増える。
【０００３】
さらに動物の愛好家では、犬、又は猫を２匹以上、或いは２種類以上のペットを飼育する家庭も多く、このような場合は、前記ペットに関する品物は多種多量に増加する。特に近年ペットを屋内で飼育することが増えているため、リビングルーム等の居室空間にこれらのペットに関する品物が散在する場合が多く見受けられる。
【０００４】
またこれらペットに関する品物を、例えば専用のバスケットなどにまとめて整理する場合でも、これらの品物から動物臭が居室内に放散して、特に気密性が高い近年の住居においては建物全体にペット臭が漂い空気環境が損なわれる場合がある。
【０００５】
【発明が解決しようとする課題】
本発明は、以上のような問題点に鑑み案出なされたもので、ペットに関する品物を収納できるため屋内の整理が容易に行え、吸着材によりペット臭が吸収され空気環境を保つことのできるペット用のクローゼットの提供を目的とする。
【０００６】
【課題を解決するための手段】
本発明のうち請求項１記載の発明は、ペットに関する品物を収納するペット用のクローゼットであって、内部に、ペット臭を吸着する吸着材を取外し可能に設けたことを特徴とする。これにより、各種ペット用品をまとめて収納できて居室空間の整理が行なえ、吸着材によりペット臭の放散が防止され、居住空間の環境を維持しえる。
【０００７】
また、請求項２記載の発明は、吸着材は、底板部の下部に設けられ、かつ底板部には通気部が形成されるため、底板部上に載置するペット用品の臭気を効率的に吸着できる。
【０００８】
請求項３記載の発明は、吸着材は、タイルからなり、前記タイルは、底板部又は棚板の上面に固着されているため、吸着材の取扱性に優れ、タイル上に直接載置するペット用品の臭気を効率的に吸着できる。
【０００９】
請求項４記載の発明は、吸着材がハンガー吊下げ用のパイプ内部に設けられるため、クローゼット内の中間域に位置するので、クローゼット内部空間全体から臭気吸着が平均的かつ効率的に行なえる。
【００１０】
請求項５記載の発明は、前記吸着材は、珪藻土を含むためペット臭の吸着効率が高い。
【００１１】
【発明の実施の形態】
以下本発明の実施の一形態を図面に基づき説明する。図１はペット用のクローゼット１の斜視図、図２は要部斜視図である。
【００１２】
図１に示すペット用のクローゼット１は、収納本体１１と、扉１２とからなる。前記収納本体１１は、上板１１ａと、両側板１１ｂ、１１ｂと、背板１１ｃと、底板部３とからなり、前方が開口した矩形箱状をなしている。上板１１ａと、側板１１ｂと、背板１１ｃとは、各々矩形状をなし、ＭＤＦ板（中質繊維板）、合板、フラッシュパネル、鋼板、プラスチック板等を用い、ダボ接合、接着、金物接合等により相互に一体化されている。
【００１３】
前記扉１２は、一対の矩形同大の扉板１２ａ、１２ａからなり、蝶番（図示せず）により前記両側板１１ｂ、１１ｂの前端部に回転可能に取付けられ、所謂観音開き状の扉を形成している。そして、前記扉１２が、前記収納本体１１の前記前方の開口を遮蔽する位置から不用に開くことを防止するため、周知のマグネットキャッチ金具（図示せず）が設けられている。また前記観音開き状に形成された扉１２に替え、片開きタイプ、シャッタータイプ、蛇腹タイプ等各種の扉１２を設けることもできる。
【００１４】
また、前記扉板１２ａの内側面と、前記側板１１ｂの内側面には、ペットの衣類、首輪、ロープ等を支持するための、Ｌ字状のフック体１３が設けられている。またこれらフック体１３は、側板１１ｂの外側面、扉の表面等にも設けることができる。
【００１５】
また、前記収納本体１１の、向き合う側板１１ｂ、１１ｂ間には水平なハンガー吊下げ用のパイプ７が架設され、シャツ、セータ、コート、ジャケット等の衣類を始め、各種のペット用品を吊下げて収納することができる。前記パイプ７は、ステンレススチール、プラスチック、集成木材等を用いて形成され、両端部がブラケット３９により前記側板１１ｂに取付けられている。本例では、収納本体１１内部の比較的上方位置にパイプ７を１本設けているが、パイプ７を複数本設けて収納量を増やすこともできる。
【００１６】
また、前記収納本体１１の中位に棚板６が設けられている。本例では、棚板６を１段設けているが、収納物の大きさ、量に応じて、複数段設けることもできる。また前記棚板６は側板１１ｂに縦方向２列に形成された、ダボ穴１４に嵌合したダボピン（図示せず）により両端が支持されている。
【００１７】
前記底板部３は、図２に示すように、間隙１５を隔てて隔設された複数の長尺状の長板１６を具える。前記長板１６は、前記側板１１ｂの下部に設けられた側枠１７の内側上部に形成された段１７ａと、前記収納本体１１下部の中央に前記側枠１７と平行に設けられた中枠１８の側面上部に形成された段１８ａ間に両端を支持され、接着、釘等により固定されている。また前記長板１６は、中枠１８の両側に設けられている。
【００１８】
また、前記左右両側の側枠１７、１７の後端部間に後枠１９が設けられ、該後枠１９の中央には前記中枠１８の後端部が固定されている。さらに前記左右両側の側枠１７、１７の前端部間に上前枠２０と、断面Ｌ字状の下前枠２１が設けられ、また該上前枠２０と下前枠２１の間隔により引出口２２が形成されている。
【００１９】
また、前記側枠１７、１７と後枠１９の下面に亘り矩形の下板２６が貼設され、該下板２６と底板部３の間で上下方向に扁平な小空間２３を形成している。なお前記下板２６の前縁は、前記下前枠２１で支持されている。
【００２０】
なお、長板１６の上面と、側枠１７と、中枠１８の上面は面一に形成され、また複数の長板１６、１６間の間隙１５により、前記小空間２３に連通する通気部４が形成されている。
【００２１】
前記小空間２３内には、扁平で上方に開口する箱状の引き出し２４が、前記引出口２２から出入可能に挿入されている。また前記引き出し２４は、前記中枠１８を隔てて左右に一対設けられている。
【００２２】
前記引き出し２４には、通気性を有する袋２５に収容された吸着材２が２個づづ収納されている。前記吸着材２を設けた底板部３の下部の小空間２３は、底板部３の通気部４を介してペット用のクローゼット１内部に連通するため、ペット用のクローゼット１内に収納された前記ペット用品から放散するペット臭が前記吸着材２に吸着される。従って、ペット用のクローゼット１内にペット臭が充満することがないため、扉１２を開ける際に臭気が鼻を突くことがなく、またペット用のクローゼット１の隙間から漏れ出るペット臭で居室内の空気環境を損なうことを防止しうる。さらに、ペット用のクローゼット１に収納されたペット用品から放散したペット臭が吸着材２に吸着されることにより、ペット用品の臭気が低減する効果もある。
【００２３】
前記吸着材２は、吸着性能に優れる珪藻土、又は少なくとも珪藻土を含む混合吸着材を用いる。珪藻土以外の吸着材料としては、次のものが挙げられる。ゼオライト、セピオライトを包含する多孔質鉱物。木炭、活性炭、パルプスラッジ炭、フェライト入り炭を包含する炭。木材、オガクズなどの天然材料。これらの中から、１以上選択し珪藻土と混合して混合調湿材を得る。
【００２４】
また前記吸着材２は、塊状体、平均粒径０．３〜５ｍｍ程度の粒状体、粉状体に形成したものを使用し、編織布、不織布、紙、透湿性合成樹脂シート等で形成した矩形状の袋２５に入れて取り扱われる。前記袋２５は、調湿材の脱落防止のため、接着、熱融着、粘着テープ、封止金具などで開口部が封止される。
【００２５】
さらに、袋２５内に、前記吸着材２に加えて、防カビ剤を混合することにより、ペット用のクローゼット１内の環境を一層高めることができる。
【００２６】
また前記吸着材２は、前記底板部３の下部の小空間２３内の引き出し２４内に設けられるため、前記通気部４を介してペット用のクローゼット１内のペット臭を多量に吸着してその吸着能力が低下した際には、前記引き出し２４を前記引出口２２から引き出すことにより簡単に取外すことができる。そして新たな吸着材２と交換することにより、ペット用のクローゼット１内のペット臭の吸着性能を維持しえる。
【００２７】
前記引き出し２４に入れて、底板部３の下部に配置する吸着材２は、ペット用のクローゼット１に収納するペット用品の量、該ペット用品から放散するペット臭の強さ等の条件により、例えば、一方の引き出し２４に納める袋２５の数を増減する、或いは、一つの袋に入れる吸着材２の量を増減する等の適宜の調整を行なう。
【００２８】
本発明のペット用のクローゼット１は、前記棚１６に替えて、図３に示す脱臭棚２７を設けることもできる。前記脱臭棚２７は、側板１１ｂ、１１ｂ間で、ダボピンにより両端の下部を支持されるものである。前記脱臭棚２７は、矩形状の四周枠２８と、上板２９と、下板３０とを具え、上板２９は、一方の側縁が蝶番３１を介して四周枠２８に開閉可能に取付けられている。前記上板２９、下板３０は多数の通気孔３２が穿設され、ＭＤＦ（中質繊維板）、合板、プラスチック板等が用いられる。四周枠２８の中央には中補強枠３３が設けられている。
【００２９】
前記上板２９、下板３０間の空間に、前記と同様、少なくとも珪藻土を含む吸着材２を入れた通気性のある袋２５が収納される。ペット用のクローゼット１内のペット臭が前記上板２９、下板３０の通気孔３２を介して前記吸着材２に吸着され、これにより内部のペット臭が消滅、又は低減する。ペット用のクローゼット１の中位に形成された脱臭棚２７の上下双方の面から、ペット用のクローゼット１内全体のペット臭が吸着されるので、吸着効率が高くなる点で好ましいものである。
【００３０】
また、前記吸着材２は、前記蝶番３１により取付けられた上板２９を開けることにより取出しが可能であり、吸着性能が低下した際に新たな吸着材２と交換できる。
【００３１】
図４、５は前記棚板６の上面に、タイル５からなる吸着材２を固着した実施態様を示す。前記タイル５を製造するには、少なくとも珪藻土を含む前記と同様の混合吸着材料に石膏、セメント等のバインダーを加配して作成した混錬物を、プレス成形、押出し成形等の成形方法で板状に成形した後、養生硬化させる非焼成による製造方法と、焼成による製造方法とがある。
【００３２】
前記焼成による製造方法は、先ず粘土、火成岩等の焼成原料に、前記と同様の少なくとも珪藻土を含む混合吸着材料を加えたものを湿式粉砕したあと、これを造粒する。次いで前記造粒物の含水率を１３〜３０％に調整し、板状に加圧した成形物を、焼成炉において８００〜１０００℃で加熱焼成して製造する。
【００３３】
本例では、前記タイル５は、棚板６の幅寸法の略半分の長さを１辺の長さとする正方形状に形成され、棚板６上で２列に並んで接着剤、粘着剤等により固着されている。この他、前記タイル５は、棚板６と略同大の矩形状に成形され、棚板６に固着することもできる。またタイル５は、棚板６上に固着することなく敷設することもできる。ここで敷設するとは、単に載置することをいう。
【００３４】
また、前記棚板６は、図５に示すように、側板１１ｂに形成されたダボ穴１４に嵌合したダボピン３４により、取り外し可能に支持されている。従って吸着性能が低下したタイル５は、棚板６毎取り替えることにより、ペット用のクローゼット１内の吸着性能を維持しうる。また前記タイル５を固着した棚板６は、ダボピン３４の位置を上下に選択することにより、その高さを調整することができる。
【００３５】
前記タイル５は、棚板６に加え、又は棚板６に替えて、前記底板部３の上面に固着又は敷設されることもある。またタイル５からなる吸着材２は、その上に載置されるペット用品が直接触れるため、ペット用品に付着した匂いを効率的に吸着でき、また板状に成形されているので取扱いが容易な点で好ましい。
【００３６】
図６は、前記吸着材２が、ハンガー吊下げ用のパイプ７の内部に設けられた実施態様を示す。本例のパイプ７は、多数の小孔３５を穿設した中空のパイプ本体７ａと、その一端を塞ぐ固定キャップ７ｂと、他端に取り外し可能に嵌合されゴム、プラスチック等を用いた弾性キャップ７ｃとからなる。前記吸着材２は、前記小孔３５よりも大径の顆粒状に形成されるとともにパイプ本体７ａ内に装填され、前記小孔３５を介してペット用のクローゼット１内のペット用品から放散した臭気を吸着する。
【００３７】
前記パイプ７の両端は、可動ブラケット３６と固定ブラケット３７で支持されている。前記可動ブラケット３６は、側板１１ｂにビス、釘等の固着具３８により固定される固定鍔３６ａと、該固定鍔３６ａの側方の突出する長支持筒３６ｂとを具える。前記長支持筒３６ｂには、押しバネ３６ｃが内蔵されている。前記パイプ７の一端を前記長支持筒３６ｂに挿入し、かつ該押しバネ３６ｃの先端に設けた受部３６ｄを押しバネ３６ｃのバネ力に抗して押圧することにより、前記パイプ７の一端を長支持筒３６ｂの奥部まで挿入する。その状態で、前記パイプ７の他端を、固定ブラケット３７の短支持筒３７ｂに位置合わせし、短支持筒３７ｂの最奥部まで移動することにより、パイプ７の両端が、可動ブラケット３６の長支持筒３６ｂの内部と、固定ブラケット３７の短支持筒３７ｂの内部に挿入された状態で支持される。
【００３８】
また前記と逆の手順により、パイプ７を可動ブラケット３６側に移動させることにより、パイプ７の前記他端を固定ブラケット３７の短支持筒３７ｂの内から抜き出し、前記パイプ７を外すことができる。さらに、パイプ７の一端の弾性キャップ７ｃの嵌合を外して、内部に装填されている吸着材２を新たなものと交換して、吸着性能を維持することができる。
【００３９】
本例では、吸着材２がペット用のクローゼット１の内部空間の略中位に配置されたハンガー吊下げ用のパイプ７の内部に設けられているため、クローゼット内部空間全体から平均して臭気の吸着が効率的に行なえる。特にパイプ７に吊下げられたペット用品は吸着材２に近接するため効率的に脱臭されうる。
【００４０】
【発明の効果】
上述したように、請求項１記載の発明では、ペットに関する品物を収納するペット用のクローゼットにおいて、その内部にペット臭を吸着する吸着材を取外し可能に設けているため、犬、猫始め各種ペット用品を効率的に収納できて居室にこれらが散乱することなく、さらに吸着材によりペット臭が吸着されて居住空間の環境を維持しえ、しかも前記吸着材は取り外し可能であるため新規なものに取替ることにより吸着性能を維持しえる。
【００４１】
また、請求項２記載の発明では、吸着材が通気部の形成された底板部の下部に設けられるため、特に底板部上に載置するペット用品の臭気を効率的に吸着できる。
【００４２】
請求項３記載の発明は、タイルからなる吸着材が底板部又は棚板の上面に固着されているため、吸着材の取扱性に優れるとともにタイル上に載置するペット用品の臭気を効率的に吸着できる。
【００４３】
請求項４記載の発明では、ハンガー吊下げ用のパイプ内部に設けられた吸着材により、クローゼット内部空間全体から臭気吸着が平均的かつ効率的に行なえ、特にパイプに吊下げられたペット用品の臭気吸着効果に優れる。
【００４４】
請求項５記載の発明は、珪藻土を含む吸着材を用いるためペット臭の吸着効率が高い。
【図面の簡単な説明】
【図１】本発明の一実施の形態を例示する斜視図である。
【図２】その要部斜視図である。
【図３】異なる実施の形態を例示する要部斜視図である。
【図４】更に異なる実施の形態を例示する一部分解要部斜視図である。
【図５】その斜視図である。
【図６】更に異なる実施の形態を例示する要部の一部断面正面図である。
【符号の説明】
１      ペット用のクローゼット
２      吸着材
３      底板部
４      通気部
５      タイル
６      棚板
７      パイプ
【図１】
2005013419.tif 000003
【図２】
2005013419.tif 000004
【図３】
2005013419.tif 000005
【図４】
2005013419.tif 000006
【図５】
2005013419.tif 000007
【図６】
2005013419.tif 000008